(57)【要約】【課題】ケーブル放送用受信機には、ケーブル網に接続されている他の受信機に影響を与えない様に、アンテナリターンロスをある一定の値以下にする必要がある。この要求は受信機が待機状態である場合も例外ではなく、ケーブル網に接続されている他の受信機に影響を与えない様に、待機状態でもアンテナリターンロスをある一定の値以下に抑える必要がある。【解決手段】本発明のテレビジョン受像機は、待機時の電源を供給する電源回路と、待機時も電源回路から電源供給されているマイコンと、アンテナを接続し信号を受信する為のチューナーとを備え、待機時に前記電源回路から前記チューナーへ電源を供給するものであり、アンテナリターンロスをある一定の値以下に抑える機能を有する。【選択図】  図２
2005020250.tif 000002
【特許請求の範囲】
【請求項１】
待機時の電源を供給する電源回路と、待機時も電源回路から電源供給されているマイクロコントローラー（以下マイコンとする）と、アンテナを接続し信号を受信する為のチューナーとを備え、待機時に前記電源回路から前記チューナーへ電源を供給することを特徴とするテレビジョン受像機。
【請求項２】
前記マイコンが出力する制御信号に基づき前記電源回路から前記チューナーへの電源供給をオン／オフする切り替え回路をさらに備え、前記チューナーに接続されているアンテナの種類がケーブル放送用アンテナの場合は前記制御信号により前記切り替え回路をオンにすることで待機時に前記チューナーへ電源を供給することを特徴とする請求項１に記載のテレビジョン受像機。
【請求項３】
前記アンテナの種類の設定をオンスクリーン表示のメニューにより行い、当該設定されたアンテナの種類がケーブル放送用アンテナの場合は前記制御信号により前記切り替え回路をオンにすることで待機時に前記チューナーへ電源を供給することを特徴とする請求項２に記載のテレビジョン受像機。
【発明の詳細な説明】
【０００１】
【発明の属する技術分野】
本発明は、ケーブル放送受信機能を有するテレビジョン受像機に関する。
【０００２】
【従来の技術】
一般に、通常テレビジョン受像機は待機時には、マイコンにしか電源供給されておらず、この場合、アンテナが接続されているチューナーへの電源供給が行われていない。（例えば特許文献１参照）
【０００３】
【特許文献１】
特開平８−７０４７７号公報
【０００４】
【発明が解決しようとする課題】
しかしながら、ケーブル放送用受信機には、ケーブル網に接続されている他の受信機に影響を与えない様に、アンテナリターンロスをある一定の値以下にする必要がある。この要求は受信機が待機状態である場合も例外ではなく、ケーブル網に接続されている他の受信機に影響を与えない様に、待機状態でもアンテナリターンロスをある一定の値以下に抑える必要がある。
【０００５】
【課題を解決するための手段】
この課題を解決するために本発明のテレビジョン受像機は、待機時の電源を供給する電源回路と、待機時も電源回路から電源供給されているマイコンと、アンテナを接続し信号を受信する為のチューナーとを備え、待機時に前記電源回路から前記チューナーへ電源を供給するものであり、アンテナリターンロスをある一定の値以下に抑える機能を有する。
【０００６】
【発明の実施の形態】
（実施の形態１）
以下、本発明の第１の実施の形態について図１を参照しながら説明する。
【０００７】
本実施の形態では、テレビジョン受信機は、待機時の電源を供給する電源回路１と、待機時にも電源回路１から電源供給されているマイコン２と、アンテナを接続し信号を受信する為のチューナー３とを有する。チューナー３は内部のアンプ回路の動作の有無によって入力インピーダンスが変化する。チューナー３は電源供給が行われている場合、内部のアンプ回路が働き、アンテナリターンロスはある一定の値以下に抑える事が出来るが、電源供給が行われない場合、内部のアンプ回路が動作しない為、アンテナリターンロスがある一定の値を超えてしまう。
【０００８】
本発明のテレビジョン受信機では、待機時に電源を供給する電源回路１によりマイコン２へ電源を供給するだけでなく、チューナー３へも電源を供給し続ける事により、待機時でもアンテナリターンロスをある一定の値以下に保つ事が可能になる。
【０００９】
（実施の形態２）
以下、本発明の第１の実施の形態について図２及び図３を参照しながら説明する。
【００１０】
本実施の形態では、実施の形態１で記載したテレビジョン受信機に、マイコン２からの制御信号８により待機時の電源供給を行う電源回路１からチューナー３への電源供給をオン／オフする切り替え回路４を有し、かつ、チューナー３により地上波放送などのケーブルを必要としない放送形態と、ケーブル放送の両方を受信可能な受信機とする。テレビジョン受像機では予めチューナー３に接続されているアンテナの種類を設定する事ができ、設定する為のオンスクリーン表示の一例を図４に示す。
【００１１】
この設定により、接続されたアンテナが、地上波放送用などアンテナリターンロスをある一定の値以下に抑える必要がない場合には、マイコンからの制御信号によりチューナー３への電源切り替え回路４をオフし、チューナー３への電源供給を行わず、アンテナリターンロスをある一定の値以下に抑える必要があるケーブル放送用アンテナが接続されている時のみ、待機時にマイコンからの制御信号によりチューナー３への電源切り替え回路４をオンし、チューナー３への電源供給を行う事で、待機時の消費電力を抑える事が可能になる。
【００１２】
図３は、２画面表示可能な主、副２つのチューナーを備える２画面対応のテレビジョン受信機の場合であるの回路構成のブロック図である。この場合外部アンテナはアンテナ分配器７に接続され、分配された信号が主チューナー５及び副チューナー６へ入力される。この場合、待機時の電源供給を行う電源回路１よりアンテナ分配器７への電源供給を行い続ける事により、アンテナリターンロスをある一定の値以下に抑える事が可能となる。
【００１３】
また、この場合、テレビジョン受像機では予めアンテナ分配器７に接続されているアンテナの種類を設定する事が、図４において一例として示すようなオンスクリーン表示９を行える。この設定により、接続されたアンテナが、地上波放送用などアンテナリターンロスをある一定の値以下に抑える必要がない場合には、マイコンからの制御信号によりアンテナ分配器７への電源切り替え回路４をオフし、アンテナ分配器７への電源供給を行わず、アンテナリターンロスをある一定の値以下に抑える必要があるケーブル放送用アンテナが接続されている時のみ、待機時にマイコンからの制御信号によりアンテナ分配器７への電源切り替え回路４をオンし、アンテナ分配器７への電源供給を行う事で、待機時の消費電力を抑える事が可能になる。
【００１４】
【発明の効果】
以上のように、本発明により、待機時にチューナーへの電源供給を行うことで、アンテナリターンロスをある一定の値以下に保つ事が出来る。
【図面の簡単な説明】
【図１】本発明の第１の実施の形態におけるブロック図
【図２】本発明の第２の実施の形態における第１のブロック図
【図３】本発明の第２の実施の形態における第２のブロック図
【図４】本発明の第２の実施の形態におけるオンスクリーン表示の一例を示す図
【符号の説明】
１  電源回路
２  マイコン
３  チューナー
４  切り替え回路
５  主チューナー
６  アンテナ分配器
７  副チューナー
８  制御信号
９  オンスクリーン表示
【図１】
2005020250.tif 000003
【図２】
2005020250.tif 000004
【図３】
2005020250.tif 000005
【図４】
2005020250.tif 000006